(57)【要約】【課題】本発明は、導線３０の線径に左右され難く、かつ軽量化することができる接続部付き電線１０及び接続部付き電線形成方法を提供することを目的とする。【解決手段】電導性を有する導線３０及び導線３０を覆う絶縁性を有する絶縁被覆体２１で構成した長尺状の電線２０において、絶縁被覆体２１から導線３０を長手方向に所定の長さ露出させた導線露出部を形成するとともに、導線露出部に、電線２０の長手方向に大きく湾曲させる湾曲部３１ｂを備え、電導性を有する被接続部材１と接続する接続部３１を、湾曲部３１ｂ及び湾曲部３１の形状を維持するスポット溶接とで形成した接続部付き電線１０であることを特徴とする。【選択図】図１
2012209017.tif 000002
【特許請求の範囲】
【請求項１】
電導性を有する導線及び該導線を覆う絶縁性を有する絶縁被覆体で構成した長尺状の電線において、
前記絶縁被覆体から前記導線を長手方向に所定の長さ露出させた導線露出部を形成するとともに、
該導線露出部に、
前記電線の長手方向に大きく湾曲させる湾曲部を備え、
電導性を有する被接続部材と接続する接続部を、
前記湾曲部及び前記湾曲部の形状を維持する形状維持手段とで形成した
接続部付き電線。
【請求項２】
前記電線の径方向に二分割するとともに、それぞれ平面視略半円状に形成して前記湾曲部を構成し、
前記接続部を、
平面視において前記湾曲部の内周側がそれぞれ径方向で対向するとともに、前記湾曲部の末端部をつき合わせて配置した前記湾曲部と、前記形状維持手段とで平面視略環状に形成した
請求項１に記載の接続部付き電線。
【請求項３】
電導性を有する導線及び該導線を覆う絶縁性を有する絶縁被覆体で構成した長尺状の電線の前記導線に、前記絶縁被覆体から長手方向に所定の長さ露出させた導線露出部を形成し、
該導線露出部に、前記電線の長手方向に大きく湾曲させた湾曲部を形成し、
該湾曲部及び前記湾曲部の形状を維持する形状維持手段により、
電導性を有する被接続部材と接続する接続部を形成する
接続部付き電線形成方法。
【発明の詳細な説明】
【技術分野】
【０００１】
この発明は、例えば自動車の電気系統などで利用されるような電線において、車体などの電導性を有する被接続部材に接続する接続部を備えたアース用電線のような接続部付き電線に関する。
【背景技術】
【０００２】
従来、自動車の電気系統では、その配線を簡略化するために、車体そのものをマイナス側の配線として利用している。このため、自動車の電気系統では、電源のプラス側と電気機器を接続するプラス用電線、及び電気機器と車体とを接続するアース用電線によって、電源と電気機器とを接続することで電気的接続を確立している。
【０００３】
このアース用電線は、電線を構成する電導性を有する導線に接続した接続部を、車体などの電導性を有する被接続部材に固定ボルトを介して接続する。そして、この接続部として、例えば、特許文献１のような丸型圧着端子（特許文献１におけるアース端子）を用いることがある。
【０００４】
ところが、丸型圧着端子をはじめとする圧着端子は、オープンバレル形式、クローズドバレル形式など様々なバレル形式があるものの、バレルで導線をかしめて接続する構成であるため、圧着可能な導線の線径が限られている。また、導線の線径ごとに圧着端子を選別する必要があり、圧着端子の種類に対応する設備や治具が必要となる。
【０００５】
さらに、昨今、自動車業界のみならず、様々な業界において、細かい点にまで着眼したより一層の省エネ化が求められている。このような状況の中で、接続部を有する電線にも、軽量化による省エネ効果を要求されている。
【先行技術文献】
【特許文献】
【０００６】
【特許文献１】特開２０１０−３５１７号公報
【発明の概要】
【発明が解決しようとする課題】
【０００７】
本発明は、上述の問題に鑑み、導線の線径に左右され難く、かつ軽量化することができる接続部付き電線及び接続部付き電線形成方法を提供することを目的とする。
【課題を解決するための手段】
【０００８】
この発明は、電導性を有する導線及び該導線を覆う絶縁性を有する絶縁被覆体で構成した長尺状の電線において、前記絶縁被覆体から前記導線を長手方向に所定の長さ露出させた導線露出部を形成するとともに、該導線露出部に、前記電線の長手方向に大きく湾曲させる湾曲部を備え、電導性を有する被接続部材と接続する接続部を、前記湾曲部及び前記湾曲部の形状を維持する形状維持手段とで形成した接続部付き電線であることを特徴とする。
【０００９】
上記導線は、電導性を有する複数本の素線、電導性を有する１本の素線などとすることができる。  
上記所定の長さは、接続部を形成できる長さとすることができる。
【００１０】
上記形状維持手段は、抵抗溶接機（スポット溶接機）、超音波溶接などによる溶着、ハンダなどによる電導性を有する表面コーティングなどとすることができる。  
上記接続部は、略環状、略Ｙ字状、略Ｃ字状、略鉤状などとすることができる。
【００１１】
この発明により、導線の線径に左右され難く、かつ軽量化できる接続部付き電線を構成することができる。
【００１２】
具体的には、電線の絶縁被覆体から露出させた導線露出部で接続部を形成することにより、導線の線径に左右される圧着端子のような被接続部材と接続するための別部材を不要にすることができる。
【００１３】
圧着端子のような別部材を不要にすることにより、圧着端子のような別部材を用いた電線に比べて、接続部付き電線は、部品点数を削減することができるので、その重量を低減することができる。さらに、部品点数の削減と軽量化により、接続部付き電線のコストを抑えることができる。
【００１４】
また、接続部付き導線は、湾曲させる導線の長さによって、接続部の大きさを所望の大きさに形成することができるので、様々な大きさの接続部を形成することができる。
【００１５】
従って、導線露出部によって接続部を形成することにより、接続部付き電線は、導線の線径に左右され難く、かつ軽量化することができる。
【００１６】
この発明の態様として、前記電線の径方向に二分割するとともに、それぞれ平面視略半円状に形成して前記湾曲部を構成し、前記接続部を、平面視において前記湾曲部の内周側がそれぞれ径方向で対向するとともに、前記湾曲部の末端部をつき合わせて配置した前記湾曲部と、前記形状維持手段とで平面視略環状に形成することができる。
【００１７】
この発明により、導体露出部を分割することなく平面視略環状の接続部を形成した場合に比べて、接続部の形成に必要な導線露出部の所定の長さを抑えることができる。すなわち、電線を構成する導線の長手方向長さを抑えることができるので、接続部付き電線は、より軽量化することができる。
【００１８】
また、接続部を平面視略環状に形成したことにより、接続部付き電線は、固定ボルトなどを介して被接続部材とより確実に接続することができる。これにより、接続部付き電線が、容易に脱落することを防止できる。
【００１９】
従って、導線露出部を二分割することにより、導線露出部の所定の長さを抑えて接続部を形成できるので、接続部付き電線は、軽量化することができる。
【００２０】
また、この発明は、電導性を有する導線及び該導線を覆う絶縁性を有する絶縁被覆体で構成した長尺状の電線の前記導線に、前記絶縁被覆体から長手方向に所定の長さ露出させた導線露出部を形成し、該導線露出部に、前記電線の長手方向に大きく湾曲させた湾曲部を形成し、該湾曲部及び前記湾曲部の形状を維持する形状維持手段により、電導性を有する被接続部材と接続する接続部を形成する接続部付き電線形成方法であることを特徴とする。
【００２１】
この発明により、導線露出部で接続部を形成することができ、導線の線径に左右され難く、かつ軽量化できる接続部付き電線形成方法を提供することができる。
【発明の効果】
【００２２】
本発明により、導線の線径に左右され難く、かつ軽量化できる接続部付き電線及び接続部付き電線形成方法を提供することができる。
【図面の簡単な説明】
【００２３】
【図１】接続部付き電線の外観斜視図。
【図２】接続部付き電線の平面図。
【図３】実施例２における接続部付き電線の平面図。
【図４】実施例３における接続部付き電線の平面図。
【図５】実施例４における接続部付き電線の平面図。
【発明を実施するための形態】
【００２４】
この発明の一実施形態を以下図面と共に説明する。  
【実施例１】
【００２５】
なお、図１は接続部付き電線１０の外観斜視図を示し、図２は接続部付き電線１０の平面図を示している。
【００２６】
接続部付き電線１０は、図１及び図２に示すように、長尺状の電線２０と電線２０の末端に形成した接続部３１とで構成している。  
電線２０は、電導性を有する複数本の素線（図示省略）を電線２０の径方向断面において、略円状に束ねて構成した導線３０及び導線３０を覆う絶縁性を有する絶縁被覆体２１で構成している。
【００２７】
接続部３１は、図１及び図２に示すように、直線部３１ａ及び２つの湾曲部３１ｂで平面視略環状に形成している。さらに、接続部３１は、長手方向の適宜の位置に設けた溶着部４０（溶着部４０ａから４０ｃ）において、複数本の素線を束ねるようにスポット溶接で溶着している。
【００２８】
直線部３１ａは、絶縁被覆体２１の一端から露出した導線３０を、溶着部４０ａで溶着して形成している。  
湾曲部３１ｂは、図１及び図２に示すように、直線部３１ａの端部から延びる複数本の素線を略均等に２束に分けて、それぞれを長手方向において外側に大きく湾曲させるとともに、溶着部４０ｂで溶着して平面視略半円状に形成している。
【００２９】
そして、２つの湾曲部３１ｂは、図２に示すように、平面視において、それぞれ内周側が径方向に対向するとともに、湾曲部３１ｂの末端部３１ｃをそれぞれつき合わせるように配置している。このように配置した２つの湾曲部３１ｂを、溶着部４０ｃで溶着して平面視略環状に形成している。
【００３０】
このような構成の接続部付き電線１０は、図１に示すように、電導性を有する被接続部材１に固定ボルト２で接続部３１を係止することで電気的接続を確立している。
【００３１】
以上のような構成により、接続部付き電線１０は、導線３０の線径に左右され難く、かつ軽量化することができる。  
具体的には、電線２０の絶縁被覆体２１から露出させた導線３０で接続部３１を形成することにより、導線３０の線径に左右される圧着端子のような被接続部材１と接続するための別部材を不要にすることができる。
【００３２】
圧着端子のような別部材を不要にすることにより、圧着端子のような別部材を用いた電線に比べて、接続部付き電線１０は、部品点数を削減することができるので、その重量を低減することができる。さらに、部品点数の削減と軽量化により、接続部付き電線１０のコストを抑えることができる。
【００３３】
また、接続部付き導線１０は、湾曲させる導線３０の長さによって、接続部３１の大きさを所望の大きさに形成することができるので、様々な大きさの接続部３１を形成することができる。さらに、圧着端子などの別部材を用いる場合に比べて、導線３０の線径に応じた設備や圧着治具を削減することができる。
【００３４】
従って、電線２０の絶縁被覆体２１から露出させた導線３０によって接続部３１を形成することにより、接続部付き電線１０は、導線３０の線径に左右され難く、かつ軽量化することができる。
【００３５】
また、接続部３１を平面視略半円状に形成した２つの湾曲部３１ｂと、溶着部４０を溶着するスポット溶接とで平面視略環状に形成したことにより、接続部３１の形成に必要な絶縁被覆体２１から露出させた導線３０の所定の長さを抑えることができる。すなわち、電線２０を構成する導線３０の長手方向長さを抑えることができるので、接続部付き電線１０は、より軽量化することができる。
【００３６】
また、接続部３１を平面視略環状に形成したことにより、接続部付き電線１０は、固定ボルト２などを介して被接続部材１とより確実に接続することができる。これにより、接続部付き電線１０が、容易に脱落することを防止できる。
【００３７】
従って、絶縁被覆体２１から露出させた導線３０を二分割することにより、絶縁被覆体２１から露出させた導線３０の所定の長さを抑えた接続部３１を形成できるので、接続部付き電線１０は、軽量化することができる。
【００３８】
また、絶縁被覆体２１から長手方向に所定の長さ露出させた導線３０を、電線２０の長手方向に大きく湾曲させた湾曲部３１ｂを形成し、湾曲部３１ｂ及び湾曲部３１ｂの形状を維持するスポット溶接により、電導性を有する被接続部材と接続する接続部を形成する接続部付き電線形成方法により、絶縁被覆体２１から長手方向に所定の長さ露出させた導線３０で平面視環状の接続部３１を形成することができ、導線３０の線径に左右され難く、かつコストを抑えることができる。
【００３９】
なお、露出した導線３０を溶着部４０ａから４０ｃで溶着することで接続部３１を形成しているが、溶着部４０ｃのみ溶着してもよい。
【実施例２】
【００４０】
次に、接続部付き電線１０の別の実施例を、図３を用いて説明する。  
なお、図３は実施例２における接続部付き電線１０の平面図を示している。  
また、上述した実施例１と同じ構成要素は、同じ符号を付与して、その詳細な説明を省略する。
【００４１】
実施例２における接続部付き電線１０は、実施例１に対して接続部３２の構成が異なっている。この接続部３２は、図３に示すように、直線部３２ａ及び湾曲部３２ｂで平面視略環状に形成している。さらに、接続部３２は、長手方向の適宜の位置に設けた溶着部４０（溶着部４０ａから４０ｃ）において、複数本の素線を束ねるようにスポット溶接で溶着している。
【００４２】
直線部３２ａは、絶縁被覆体２１の一端から所定の長さ露出した導線３０を、溶着部４０ａで溶着して形成している。  
湾曲部３２ｂは、図３に示すように、直線部３２ａの端部から導線３０を長手方向に大きく湾曲させて溶着部４０ｂにて溶着するとともに、末端部３２ｃを直線部３２ａの端部近傍に突き当てて溶着部４０ｃにて溶着して平面視略環状に形成している。
【００４３】
以上のような構成により、接続部付き電線１０は、上述の実施例１と同様の効果を奏することができ、導線３０の線径に左右され難く、かつ軽量化することができる。
【実施例３】
【００４４】
次に、接続部付き電線１０の別の実施例を、図４を用いて説明する。  
なお、図４は実施例３における接続部付き電線１０の平面図を示している。  
また、上述した実施例１及び２と同じ構成要素は、同じ符号を付与して、その詳細な説明を省略する。
【００４５】
実施例３における接続部付き電線１０は、図４に示すように、電線２０の長手方向の途中部分において平面視略Ω状の接続部３３を形成している。
【００４６】
より詳しくは、電線２０は、長手方向途中において絶縁被覆体２１の一部を切断して導線３０を所定の長さ露出している。この露出した導線３０をもとに接続部３３を形成している。
【００４７】
この接続部３３は、図４に示すように、導線３０を絶縁被覆体２１から所定の長さ露出して形成した直線部３３ａ及び平面視略環状に湾曲した湾曲部３３ｂで構成するとともに、その表面にハンダコーティングして平面視略Ω状に形成している。
【００４８】
以上のような構成により、接続部付き電線１０は、上述の実施例１と同様の効果を奏することができ、導線３０の線径に左右され難く、かつ軽量化することができる。  
また、接続部３３は、その表面をハンダコーティングしたことで、平面視略Ω状に形成された形状をより維持することができる。
【実施例４】
【００４９】
次に、接続部付き電線１０の別の実施例を、図５を用いて説明する。  
なお、図５は実施例４における接続部付き電線１０の平面図を示している。  
また、上述した実施例１から３と同じ構成要素は、同じ符号を付与して、その詳細な説明を省略する。
【００５０】
実施例４における接続部付き電線１０は、実施例１に対して接続部３４の構成が異なっている。この接続部３４は、図５に示すように、直線部３４ａ、２つの湾曲部３４ｂ及び延出部３４ｄで平面視略Ｙ字状の形成している。
【００５１】
直線部３４ａは、導線３０を絶縁被覆体２１の一端から露出して形成している。  
湾曲部３４ｂは、図５に示すように、直線部３４ａの端部から延びる複数本の素線を略均等に２束に分けて、それぞれを電線２０の径方向で離間するように大きく湾曲させて形成している。
【００５２】
延出部３４ｄは、２つ湾曲部３４ｂからそれぞれ電線２０と略平行で長手方向に延びるように形成している。  
そして、接続部３４は、直線部３４ａ、２つの湾曲部３４ｂ及び延出３４ｄの表面をハンダコーティングすることで、平面視略Ｙ字状に形成している。
【００５３】
以上のような構成により、接続部付き電線１０は、上述の実施例１と同様の効果を奏することができ、導線３０の線径に左右され難く、かつ軽量化することができる。  
また、接続部３４は、その表面をハンダコーティングしたことで、平面視略Ｙ字状に形成された形状をより維持することができる。
【００５４】
なお、上述の実施例１から４において、導線３０を複数本の素線で構成したが、これに限らず、１本の素線で構成してもよい。さらに、この１本の素線をプレス形成して、平面視略環状の接続部を形成するなどしてもよい。
【００５５】
また、上述の実施例１から４において、接続部をスポット溶接あるいはハンダコーティングにて形成したが、これに限らず、超音波溶接など電導性を有する形成手段で形成することで、その形状を維持するようにしてもよい。
または、接続部をホットプレスにて形成する、あるいは露出した導線３０を加熱融解して接続部を形成することで、その形状を維持するようにしてもよい。なお、導線３０の材質を、圧着端子に近い銅合金にしてもよい。
【００５６】
また、接続部３１の形状は、上述の実施例１から４の形状に限定するものではなく、平面視略鉤状に形成してもよい。
【００５７】
この発明の構成と、上述の実施形態との対応において、
この発明の導線露出部は、実施形態の直線部３１ａ〜３４ａ、湾曲部３１ｂ〜３４ｂ及び延出部３４ｄに対応し、
以下同様に、
形状維持手段は、スポット溶接、ハンダコーティングに対応するが、
この発明は、上述の実施形態の構成のみに限定されるものではなく、多くの実施の形態を得ることができる。
【産業上の利用可能性】
【００５８】
この発明は、自動車用ワイヤーハーネスだけでなく、従来、圧着端子などの別部材を用いて被接続部材に接続していた電線に対して利用することができる。
【符号の説明】
【００５９】
１…被接続部材
１０…接続部付き電線
２０…電線
２１…絶縁被覆体
３０…導線
３１、３２、３３、３４…接続部
３１ｂ、３２ｂ、３３ｂ、３４ｂ…湾曲部
３１ｃ…末端部
【図１】
2012209017.tif 000003
【図２】
2012209017.tif 000004
【図３】
2012209017.tif 000005
【図４】
2012209017.tif 000006
【図５】
2012209017.tif 000007